(57)【要約】【課題】本発明は、液体を入れるための液体用包装袋に関する発明である。【解決手段】本発明は、孔５を穿設した開閉部４とジッパー６を有し傾斜部３ａと底部３ｂを設けた本体３からなる容器２と、紐通部９を設けたキャップ８と筒止め１０ａと注出口１０ｂを有した注出筒１０からなる注ぎ部材７と紐１１とからなることを特徴とする液体用包装袋１の構成とした。【選択図】  図１
2006232367.tif 000002
【特許請求の範囲】
【請求項１】
本体の上部には開口縁片にジッパーを設けた開閉可能な開口部を設け、本体の左上部に傾斜部を設けてキャップを有する注出筒を取り付けたことを特徴とする液体用包装袋。
【請求項２】
キャップに紐通部を設けるとともに開口縁片に孔を形成し、前記紐通部に紐の一端を縛り付け取り付けるとともに紐の他端を前記孔に挿通させて縛り付け取り付けたことを特徴とする請求項１に記載の液体用包装袋。
【請求項３】
本体の形状を台形状、正方形状、長方形状、楕円形状、半円形状のいずれかの形状としたことを特徴とする請求項１乃至請求項２記載の液体用包装袋。
【発明の詳細な説明】
【技術分野】
【０００１】
本発明は、液体を入れるための液体用包装袋に関する発明である。
【背景技術】
【０００２】
従来の液体用包装袋は、主に飲料用や詰め替え用の使い捨ての袋として使用されていた。
【０００３】
しかしながら、従来の液体用包装袋の場合、飲料用などは軽量で持ち運びしやすいという利点があるものの、使い捨てであるため市販されている飲料でしか使用できず、自分の好みの飲料をこの形態で飲むことはできなかった。また再利用をしようとしても使い捨ての容器であるために洗浄や詰め替えが難しく、繰り返し使用することも難しかった。
【特許文献１】特開２００３−１４６３６６号公報
【発明の開示】
【発明が解決しようとする課題】
【０００４】
そこで、本発明は、目的に合わせて自分なりの使用方法を選択でき、洗浄や詰め替えが容易で繰り返し使用できる液体用包装袋を提供することを目的とするものである。
【課題を解決するための手段】
【０００５】
本発明は、上記の課題を解決するために、孔５を穿設した開閉部４とジッパー６を有しカット部３ａと底部３ｂを設けた本体３からなる容器２と、紐通部９を設けたキャップ８と筒止め１０ａと注出口１０ｂを有した注出筒１０からなる注ぎ部材７と紐１１とからなることを特徴とする液体用包装袋１の構成とした。
【発明の効果】
【０００６】
本発明の液体用包装袋は、包装袋本体にジッパーを取り付けたことで本体内部の洗浄や飲料等の詰め替えが容易にでき、自分なりに使用方法を選択できて繰り返し使用できる。
【発明を実施するための最良の形態】
【０００７】
目的に合わせて自分なりの使用方法を選択でき、洗浄や詰め替えが容易で繰り返し使用できる液体用包装袋という目的を、ジッパー式とすることで実現した。
【実施例１】
【０００８】
以下に添附図面に基づき、本発明である液体用包装袋１について詳細に説明する。図１は、本発明である液体用包装袋の正面図、図２は液体用包装袋の左側面図、図３は液体用包装袋の斜視図である。
【０００９】
図１に示すように、液体用包装袋１は、容器２と注ぎ部材７と紐１１とからなる。容器２は、傾斜部３ａと底部３ｂを設けた本体３と、右端部に紐１１の一端を挿通する孔５を穿設した開閉部４とジッパー６とからなる。
【００１０】
図２に示すように、本体３の形状は、底部３ｂに向かって左右方向の幅が狭く形成されていて、底部３ｂは平坦に形成されている。そのために、安定するとともに立てかけておくことができる。本発明である液体用包装袋１は、自立できるのでこの状態で使用・保管ができる。
【００１１】
本発明である液体用包装袋１を構成する本体３の素材は、柔軟性があるとともに、弾力性を備え、なおかつ軽量であるもの（シリコン等）を使用することにより携帯に適し、再利用性も高まり使用し易い。
【００１２】
図１、図３に示すように、上部には開閉部４が形成されていて、開閉部４には開口縁片４ａがあり、前記開口縁片４ａの下部に対向する位置にあり嵌合するようにジッパー６が設けてあり開閉可能な構造となっている。この開閉部４を開けて液体の食品物の詰め替えや、本体３の内部を洗浄する際に開口して洗浄等をすることができる。符号４ｂは開口部である。
【００１３】
例えば、飲料用の液体用包装袋として使用する場合、本体３の開閉部４から飲料を入れることができる。また、複数の液体食品を流入させて混合させることにより、様々な味の飲料食品（ゼリー状のもの等）を調合したりして、簡単に好みの飲料を液体用包装袋１だけで作ることができる。
【００１４】
図３に示すように、開閉部４の右端部には、開口縁片４ａを貫通する孔５が穿設されていて、孔５には紐１１の一端を挿通し開口縁片４ａに縛り付け取り付けることができる。紐１１の他端はキャップ８の紐通部９に縛り付けてある。
【００１５】
また、本体３の左上部は、斜めに切り取られていて傾斜部３ａが形成されていて、その傾斜部３ａには注ぎ部材７が取り付けられている。
【００１６】
注ぎ部材７は、キャップ８と注出筒１０からなる。キャップ８の先端には、紐通部９が設けられており、この紐通部９に紐１１を通すことができる。紐通部９と前述した孔５に紐１１を通すことにより、キャップ８と容器２が紐１１で繋がれ、キャップ８の紛失を防ぐことができる。また、キャップ８が付いているので中身をこぼすことなく持ち運びができる。
【００１７】
容器２の本体３の傾斜部３ａに取り付けられている注出筒１０は、注出筒１０の先端には注出口１０ｂが形成されているとともに、注出筒１０の外周面の基部には筒止め１０ａが凹凸状に形成されている。勿論、この凹凸は注出筒１０の基部に形成しなくても良い。
【００１８】
図４は、液体用包装袋の断面図である。図４に示すように、注出筒１０が本体３に密接されているため、本体３の中の液体を注出口１０ｂから注出することができる。本体３を握ることにより、その力加減で好きな量を片手だけで注出することもできる。
【００１９】
また飲料用として使用し、注出口１０ｂから直接飲む場合、傾斜部３ａを設けたことで本体３が鼻などに当たらず飲むことができる。
【００２０】
筒止め１０ａは注出筒１０が本体３の内部に入りこまないようストッパーの役目を果たすほか、注出筒１０付近を補強する。
【実施例２】
【００２１】
図５は本発明である液体用包装袋の第２実施例の正面図であり紐１１を取り外した状態を示した図である。図５に示すように、本例の液体用包装袋１ａのように、キャップ８及び孔５から紐１１は取り外した構成でも良い。もし、紐１１が邪魔になるような場合は、紐１１は取り外して使用しても何ら支障をきたさない。
【実施例３】
【００２２】
図６は、本発明である液体用包装袋の第３実施例の正面図である。本例の液体用包装袋１ｂでは、容器２の本体３を正方形状に形成した本体としたものである。底部３ｂは、立てかけられるように平坦に形成する。
【実施例４】
【００２３】
図７は、本発明である液体用包装袋の第４実施例の正面図である。本例の液体用包装袋１ｃでは、容器２の本体３を縦長の長方形状に形成した本体としたものである。底部３ｂは、立てかけられるように平坦に形成する。
【実施例５】
【００２４】
図８は、本発明である液体用包装袋の第２実施例の正面図である。本例の液体用包装袋１ｄでは、容器２の本体３を台形状に形成した本体としたものである。底部３ｂは、立てかけられるように平坦に形成する。
【００２５】
本体３の形状は、略楕円形状、半円形状、その他の形状に形成しても良い。
【図面の簡単な説明】
【００２６】
【図１】本発明である液体用包装袋の第１実施例の正面図である。
【図２】本発明である液体用包装袋の第１実施例の左側面図である。
【図３】本発明である液体用包装袋の第１実施例の斜視図である。
【図４】本発明である液体用包装袋の第１実施例の断面図である。
【図５】本発明である液体用包装袋の第２実施例で紐を取り外した状態の正面図である。
【図６】本発明である液体用包装袋の第３実施例の正面図である。
【図７】本発明である液体用包装袋の第４実施例の正面図である。
【図８】本発明である液体用包装袋の第５実施例の正面図である。
【符号の説明】
【００２７】
１      液体用包装袋
１ａ    液体用包装袋
１ｂ    液体用包装袋
１ｃ    液体用包装袋
２      容器
３      本体
３ａ    傾斜部
３ｂ    底部
４      開閉部
４ａ    開口縁片
４ｂ    開口部
５      孔
６      ジッパー
７      注ぎ部材
８      キャップ
９      紐通部
１０    注出筒
１０ａ  筒止め
１０ｂ  注出口
１１    紐
【図１】
2006232367.tif 000003
【図２】
2006232367.tif 000004
【図３】
2006232367.tif 000005
【図４】
2006232367.tif 000006
【図５】
2006232367.tif 000007
【図６】
2006232367.tif 000008
【図７】
2006232367.tif 000009
【図８】
2006232367.tif 000010